(57)【要約】【課題】  幅方向両側に水抜き用の孔を多数有し、ハウス栽培において使用される農業用ハウスの内張りとして使用される農業用有孔フィルムを効率的に製造することができる農業用フィルム穿孔装置を提供する。【解決手段】農業用フィルム穿孔装置(A1)は、フィルム巻体(5)を転動できるように載置して農業用フィルム(50)を繰り出すことができるようにする繰り出しローラ(1,1a)と、外周部に穿孔ピン(20)を有し、繰り出された農業用フィルム(50)の幅方向の端部側に穿孔ピン(20)で通水孔(51)を穿孔する穿孔ローラ(2)と、穿孔した農業用フィルム(50)を送り出す送りローラ(2)とを備えており、穿孔ローラ(2)は一方の繰り出しローラ(1a)と並設されて同じ周速で逆回転し、繰り出しローラ(1a)の外周面には穿孔ローラ(2)の穿孔ピン(20)が入る受入孔(10)が設けられている。【選択図】図１
2010213591.tif 000002
【特許請求の範囲】
【請求項１】
農業用ハウスの内張りに使用される農業用フィルムに通水孔を穿孔する装置であって、
フィルム巻体から農業用フィルムを繰り出すことができるようにしてフィルム巻体を配置する繰り出し機構(1,1a)と、
繰り出された農業用フィルムの幅方向の端部側に穿孔ピン(20)で通水孔を穿孔する穿孔ローラ機構(2,1a)と、
農業用フィルムの送り方向において前記穿孔ローラ機構(2,1a)の下手側に設けられており、穿孔した農業用フィルムを送り出す送りローラ機構(3,3a)と、
を備えている、
農業用フィルム穿孔装置。
【請求項２】
繰り出し機構は二本のローラ(1,1a)を含み、繰り出し機構と穿孔ローラ機構(2,1a)とは隣接しており、前記穿孔ローラ機構(2,1a)は、外周面に穿孔ピン(20)を有する穿孔ローラ(2)と、該穿孔ローラ(2)の穿孔ピン(20)を受け入れる受入孔(10)を有する有孔ローラ(1a)を備え、該有孔ローラ(1a)は、前記繰り出し機構(1,1a)のローラの一つを兼ねている、
請求項１記載の農業用フィルム穿孔装置。
【請求項３】
農業用ハウスの内張りに使用される二折り状態の農業用フィルムに通水孔を穿孔する装置であって、
農業用フィルム(50)を巻き取ったフィルム巻体(5)を転動できるように載置して農業用フィルム(50)を繰り出すことができるようにする並設された繰り出しローラ(1,1a)と、
外周部に穿孔ピン(20)を有し、繰り出された農業用フィルム(50)の幅方向の端部側に穿孔ピン(20)で通水孔(51)を穿孔する穿孔ローラ(2)と、
農業用フィルム(50)の送り方向において穿孔ローラ(2)の下手側に設けられており、穿孔した農業用フィルム(50)を送り出す送りローラ(2)と、
を備えており、
前記穿孔ローラ(2)は、前記各繰り出しローラ(1,1a)の一方の繰り出しローラ(1a)に並設されており、該繰り出しローラ(1a)には穿孔ローラ(2)の穿孔ピン(20)を受け入れる受入孔(10)が設けられており、前記繰り出しローラ(1a)は繰り出しローラセット(1,1a)の一つを兼ねている、
農業用フィルム穿孔装置。
【請求項４】
農業用ハウスの内張に使用されるフィルムに通水孔を穿孔する装置であって、
複数本のフィルム巻体(5a,5b)を配置する繰り出し機構(1b,1c)(1d,1e)と、
前記複数本のフィルム巻体(5a,5b)から繰り出された当該フィルムを幅方向に接ぎ合わせる接合機(6)と、
外周面に穿孔ピン(20)を有し、前記複数本のフィルム巻体(5a,5b)から繰り出されたフィルム(50a,50b)の接ぎ合わされない側に、前記穿孔ピン(20)で通水孔(51)を穿孔する穿孔ローラ(2a)と、
フィルム(50a,50b)の送り方向において穿孔ローラ(2a)の下手側に設けられており、穿孔し接ぎ合わされたフィルム(50a,50b)を送り出す送りローラ(3b)と、
を備えており、
前記接合機は、フィルム(50a,50b)の送り方向において穿孔ローラ(2a)の上手側または下手側に配置されている、
農業用フィルム穿孔装置。
【請求項５】
穿孔ピン(20,22)の取り付け位置を穿孔ローラ(2,2a,2b)の長さ方向において変えることができる付替手段(21)を備えている、
請求項１ないし４のいずれかに記載の各農業用フィルム穿孔装置。
【発明の詳細な説明】
【技術分野】
【０００１】
本発明は、農業用フィルム穿孔装置に関するものである。更に詳しくは、ハウス栽培において使用される農業用ハウスの内張りに使用され、一部には水抜き用の孔を多数有する農業用有孔フィルムを効率的に製造する農業用フィルム穿孔装置に関する。
【背景技術】
【０００２】
農業用ハウスは、一般には金属製のフレームに合成樹脂製フィルムを張設した構造を有している。このような農業用ハウスにおいては、ハウス内の保温性を向上させるために、天井部の外張フィルムの下側に空間部を形成するようにして内張フィルムが展設されているものも多い（参考：図８）。
ハウス内は、湿度が相当に高いため、内張フィルムを有するハウスにおいては、外張フィルムの内面に結露した水滴が流れ落ちて内張フィルムの縁に溜まって金魚鉢のように膨らんでしまう。そして、これが破裂すると、落ちた水の衝撃で作物を傷めてしまうおそれがあった。
【０００３】
この問題を解消するものとして、特許文献１において、内張りとして使用する農業用フィルムの一部に多数の孔を設けて、内張フィルムに滴下した水滴が溜まらないように順次排出することができる農業用有孔フィルムがすでに開示されている。
この農業用有孔フィルムは、合成樹脂フィルムの長さ方向に沿って、幅方向の少なくとも一方の端から２０〜１００ｃｍの幅に、１０〜２０ｃｍ間隔で穿孔された直径２〜５ｍｍの孔を有する開孔部が設けられ、開孔部の合計面積がフィルムの全面積の５〜２０％であり、十分な保温性を保持したまま、フィルム上に水が溜まることを防止できるというものである。
【先行技術文献】
【特許文献】
【０００４】
【特許文献１】特開２０００−２１１７６１
【発明の概要】
【発明が解決しようとする課題】
【０００５】
しかしながら、特許文献１には、前記のように農業用有孔フィルム及びそれを製造する方法については開示されているが、農業用有孔フィルムを製造する方法を実現するための装置の具体的な構造については、何ら開示されていない。
【０００６】
（本発明の目的）
本発明は、一部に水抜き用の孔を多数有し、ハウス栽培において使用される農業用ハウスの内張りとして使用される農業用有孔フィルムを効率的に製造することができる農業用フィルム穿孔装置を提供することを目的とする。
【課題を解決するための手段】
【０００７】
上記課題を解決するために本発明が講じた手段は次のとおりである。
【０００８】
第１の発明は、
農業用ハウスの内張りに使用される農業用フィルムに通水孔を穿孔する装置であって、
フィルム巻体から農業用フィルムを繰り出すことができるようにしてフィルム巻体を配置する繰り出し機構と、
繰り出された農業用フィルムの幅方向の端部側に穿孔ピンで通水孔を穿孔する穿孔ローラ機構と、
農業用フィルムの送り方向において前記穿孔ローラ機構の下手側に設けられており、穿孔した農業用フィルムを送り出す送りローラ機構と、
を備えている、
農業用フィルム穿孔装置である。
【０００９】
第２の発明は、
繰り出し機構は二本のローラを含み、繰り出し機構と穿孔ローラ機構とは隣接しており、前記穿孔ローラ機構は、外周面に穿孔ピンを有する穿孔ローラと、該穿孔ローラの穿孔ピンを受け入れる受入孔を有する有孔ローラを備え、該有孔ローラは、前記繰り出し機構のローラの一つを兼ねている、
第１の発明の農業用フィルム穿孔装置である。
【００１０】
第３の発明は、
農業用ハウスの内張りに使用される二折り状態の農業用フィルムに通水孔を穿孔する装置であって、
農業用フィルムを巻き取ったフィルム巻体を転動できるように載置して農業用フィルムを繰り出すことができるようにする並設された繰り出しローラと、
外周部に穿孔ピンを有し、繰り出された農業用フィルムの幅方向の端部側に穿孔ピンで通水孔を穿孔する穿孔ローラと、
農業用フィルムの送り方向において穿孔ローラの下手側に設けられており、穿孔した農業用フィルムを送り出す送りローラと、
を備えており、
前記穿孔ローラは、前記各繰り出しローラの一方の繰り出しローラに並設されており、該繰り出しローラには穿孔ローラの穿孔ピンを受け入れる受入孔が設けられており、前記繰り出しローラは繰り出しローラセットの一つを兼ねている、
農業用フィルム穿孔装置である。
【００１１】
第４の発明は、
農業用ハウスの内張に使用されるフィルムに通水孔を穿孔する装置であって、
複数本のフィルム巻体を配置する繰り出し機構と、
前記複数本のフィルム巻体から繰り出された当該フィルムを幅方向に接ぎ合わせる接合機と、
外周面に穿孔ピンを有し、前記複数本のフィルム巻体から繰り出されたフィルムの接ぎ合わされない側に、前記穿孔ピンで通水孔を穿孔する穿孔ローラと、
フィルムの送り方向において穿孔ローラの下手側に設けられており、穿孔し接ぎ合わされたフィルムを送り出す送りローラと、
を備えており、
前記接合機は、フィルムの送り方向において穿孔ローラの上手側または下手側に配置されている、
農業用フィルム穿孔装置である。
【００１２】
第５の発明は、
穿孔ピンの取り付け位置を穿孔ローラの長さ方向において変えることができる付替手段を備えている、
第１ないし第４の発明のいずれかの各農業用フィルム穿孔装置である。
【００１３】
特許請求の範囲及び本明細書にいう「繰り出し機構」としては、フィルム巻体を転動できるようにして載置する並設されたローラの他、例えばフィルム巻体の芯管（多くは紙管）に軸を通すなどし軸支して回転できるようにするもの等があげられるが、フィルム巻体を回転できるように配して農業用フィルムを能動的または受動的に繰り出すことができるものであれば、その構成は特に限定するものではない。
【００１４】
（作用）
本発明の農業用フィルム穿孔装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１５】
第１の発明の農業用フィルム穿孔装置は、繰り出し機構(1,1a)に配置したフィルム巻体から農業用フィルムを繰り出し、穿孔ローラ機構(2,1a)の穿孔ピン(20)によって農業用フィルムの幅方向の端部側に通水孔を穿孔し、送りローラ機構(3,3a)によって後工程へ送り出すことができる。これにより、農業用ハウスの内張りに使用される農業用フィルムに通水孔を穿孔することができる。
【００１６】
第２の発明の農業用フィルム穿孔装置は、穿孔ローラの穿孔ピンが有孔ローラの受入孔に入って両ローラが回転することにより、両ローラの間を通る農業用フィルムを確実に貫通し通水孔を穿孔することができる。
また、穿孔ローラ機構の有孔ローラが繰り出し機構のローラの一つを兼ねているので、それぞれを専用のローラで構成する場合と比較して部品を減らすことができるとともにそれらが占有するスペースも小さくすることができる。
【００１７】
第３の発明の農業用フィルム穿孔装置は、並設された繰り出しローラ(1,1a)に載置されたフィルム巻体(5)を転動させて二折り状態の農業用フィルム(50)を繰り出し、農業用フィルム(50)を受入孔(10)を設けた側の繰り出しローラ(1a)と穿孔ローラ(2)の間に通して穿孔ピン(20)で通水孔(51)を穿孔し、送りローラ(3,3a)で後工程へ送り出すことができる。
この装置は、穿孔ローラ(2)の穿孔ピン(20)が繰り出しローラ(1a)の受入孔(10)に入るようになっているので、穿孔ローラ(2)と繰り出しローラ(1a)に挟まれた農業用フィルム(50)には、フィルム(50)が二枚重ねであっても確実に貫通して穿孔され、展開したときに両端側となる部分に通水孔(51)を一度に開けることができる。
【００１８】
第４の発明の農業用フィルム穿孔装置は、繰り出し機構(1b,1c)(1d,1e)に配した複数のフィルム巻体(5a,5b)からそれぞれ農業用フィルム(50a,50b)を繰り出し、各農業用フィルム(50a,50b)を接合機(6)で熱溶着等により接合するとともに幅が広くなった農業用フィルム(50a,50b)の幅方向の両端部側に穿孔ローラ(2a)の穿孔ピン(20)によって通水孔(51)を穿孔し、送りローラ(3b)で後工程へ送り出すことができる。
この装置は、接合機(6)を備えているので、幅が比較的狭い農業用フィルム(50a,50b)を農業用ハウスの内張りに使用できるように接合して幅を広くするとともに通水孔(51)の穿孔も合わせて行うことができる。
【００１９】
第５の発明の農業用フィルム穿孔装置は、穿孔ローラ(2,2a,2b)に取り付けられている穿孔ピン(20,22)の取り付け位置を付替手段(21)によって穿孔ローラ(2,2a,2b)の長さ方向において変えることができるので、穿孔される農業用フィルムの幅が様々に異なるものであっても、穿孔ピン(20,22)を付け替えることで、農業用フィルムの端部側の所定の位置に合わせて通水孔(51)を穿孔することができる。
【発明の効果】
【００２０】
本発明は、一部に水抜き用の孔を多数有し、ハウス栽培において使用される農業用ハウスの内張りとして使用される農業用有孔フィルムを効率的に製造することができる農業用フィルム穿孔装置を提供することができる。
【図面の簡単な説明】
【００２１】
【図１】本発明に係る農業用フィルム穿孔装置の第１実施例を示す斜視説明図。
【図２】図１に示す農業用フィルム穿孔装置の側面視説明図。
【図３】図１に示す農業用フィルム穿孔装置でつくられた農業用有孔フィルムの斜視説明図。
【図４】本発明に係る農業用フィルム穿孔装置の第２実施例を示す斜視説明図。
【図５】図４に示す農業用フィルム穿孔装置の側面視説明図。
【図６】図４に示す農業用フィルム穿孔装置でつくられた農業用有孔フィルムの斜視説明図。
【図７】農業用有孔フィルムに設けられる通水孔の配列の他例を示す斜視説明図。
【図８】農業用有孔フィルムの使用状態を示す説明図。
【図９】本発明に係る農業用フィルム穿孔装置の第３実施例を示し、穿孔ピンの取付構造を示す説明図。
【発明を実施するための形態】
【００２２】
本発明を図面に示した実施の形態に基づき詳細に説明する。
【実施例１】
【００２３】
図１及び図２を参照する。
【００２４】
農業用フィルム穿孔装置Ａ１は、インフレーション成形法で管状（くだじょう）につくられた農業用フィルム５０の周方向の一箇所に長さ方向へ切れ目を入れ、反対側の折り目を中央にして二重になった農業用フィルム５０を繰り出し、切れ目側の重ね合わせた部分に多数の通水孔５１を同時に穿孔する装置である。インフレーション成形法は、展開したときの幅が６ｍ以上の農業用フィルムをつくるときに採用されるのが一般的である。
【００２５】
農業用フィルム穿孔装置Ａ１は、紙管に前記農業用フィルム５０を巻き取ったフィルム巻体５を転動できるようにして載置する繰り出しローラ１、１ａ、一方の繰り出しローラ１ａと協働して農業用フィルム５０に通水孔５１を穿孔する穿孔ローラ２、穿孔した農業用フィルム５０を回し掛ける送りローラ３、３ａ及び送りローラ３ａとの間で農業用フィルム５０を挟んで送る複数の挟みローラ４を備えている。
【００２６】
前記繰り出しローラ１、１ａは、繰り出し機構であり、同じ直径で同じ長さの円柱形のローラで構成され、同じ高さで水平かつ平行に所要の間隔を開けて設けられている。繰り出しローラ１はモータ（図示省略）で図２において矢印方向に回転駆動される。繰り出しローラ１と繰り出しローラ１ａは、チェーン（図示省略）を介して同じ方向へ同期回転するようにしてある。また、繰り出しローラ１、１ａの上方には、載置されたフィルム巻体５が繰り出しローラ１、１ａ上の所定の位置から長さ方向にずれないようにするストッパー（図示省略）が設けられている。
【００２７】
繰り出しローラ１ａは、後述するようにギヤを介し穿孔ローラ２と連動して回転するようになっている。繰り出しローラ１ａには、長さ方向の一方側（図１で手前側）の外周面に複数の受入孔１０が設けられている有孔ローラである。各受入孔１０は、本実施例においては、繰り出しローラ１ａの長さ方向に等間隔で三箇所、繰り出しローラ１ａの軸周方向に等間隔（等角度）で三箇所、合計で九箇所に配置されている。
【００２８】
受入孔１０を有する繰り出しローラ１ａの横側（図２において左側）には、穿孔ローラ２が外周面同士を接触させて設けられている。穿孔ローラ２と繰り出しローラ１ａによって穿孔ローラ機構が構成されている。
穿孔ローラ２は、繰り出しローラ１ａと同じ高さで平行に設けられており、各ローラ１、２は同じ直径及び長さを有している。また、各ローラ１、２の外周面の接触部は、各ローラ１、２の軸線方向と平行になっている。
【００２９】
穿孔ローラ２には、長さ方向の一方側（図１で手前側）の外周面に複数の穿孔ピン２０が設けられている。各穿孔ピン２０は先部が尖っており、前記繰り出しローラ１ａの受入孔１０と同様に、穿孔ローラ２の長さ方向に等間隔で三箇所、繰り出しローラ１ａの軸周方向に等間隔（等角度）で三箇所、合計で九箇所に配置されている。
【００３０】
繰り出しローラ１ａと穿孔ローラ２は、前記したようにギヤ（図示省略）を介して連動し、逆方向に同期回転（同速回転）するようにしてある。
このようにして、繰り出しローラ１ａの各受入孔１０と穿孔ローラ２の各穿孔ピン２０は、各ローラ１、２の接触面において合わさる（穿孔ピン２０が受入孔１０に入る）ようになっている。
【００３１】
なお、穿孔ピン２０と受入孔１０は前記形状に限定されるものではなく、例えば穿孔ピン２０が円柱形で、受入孔１０は円孔形であり、それらが間に若干の隙間を設けて嵌め合うようになっている等、穿孔ピン２０が受入孔１０に入ることで農業用フィルム５０に通水孔５１を穿孔することができれば、その形状及び組合せは特に限定するものではない。
【００３２】
繰り出しローラ１ａの斜め上方（他方の繰り出しローラ１とは反対側の上方）には、穿孔された農業用フィルム５０を回し掛ける送りローラ３、３ａ（送りローラ機構を構成）が設けられている。送りローラ３、３ａは繰り出しローラ１ａと平行に設けられており、送りローラ３、３ａ同士は同じ高さに設けられ、同じ直径及び長さを有している。一方の送りローラ３（図２で右側）は、モータ（図示省略）で図２において矢印方向へ回転駆動される。また、送りローラ３、３ａは、チェーン（図示省略）を介して同じ方向へ同期回転するようにしてある。
【００３３】
他方の送りローラ３ａの上側には、送りローラ３ａの長さ方向に等間隔で三箇所に挟みローラ４が設けられている。各挟みローラ４は、アーム４０に空回りするローラ４１を取り付けた構造である。各挟みローラ４のアーム４０は、バネ等の付勢体（図示省略）によって送りローラ３ａ側へ付勢されており、ローラ４１と送りローラ３ａの外周面同士が所要の圧力で接することができるようにしてある。
【００３４】
この構造により、穿孔した農業用フィルム５０を送りローラ３ａと各挟みローラ４との間で挟んで回転方向へ送ることができる。なお、本実施例では、送りローラ３ａと各挟みローラ４で送られた農業用フィルム５０は、下方へ垂らされるようになっているが、別の紙管等の軸体に巻き取る構造とすることもできる。
【００３５】
（作用）
図１ないし図２及び図３を参照する。
農業用フィルム穿孔装置Ａ１の繰り出しローラ１、１ａの上にフィルム巻体５を載置する。フィルム巻体５から二折り状態の農業用フィルム５０を繰り出し、繰り出しローラ１、１ａ間の隙間から繰り出しローラ１ａの下側へ回して繰り出しローラ１ａと穿孔ローラ２の間を通し、さらに送りローラ３、３ａの上側に回し掛け、送りローラ３ａから下方へ垂らすようにする。
【００３６】
なお、前記農業用フィルム５０を繰り出しローラ１ａと穿孔ローラ２の間に通す際には、農業用フィルム５０の切れ目側の重ね合わせた部分に所定の配置で通水孔５１が穿孔されるように農業用フィルム５０の通る位置（フィルム巻体５を載置する位置）を決める。また、前記送りローラ３ａに回し掛ける際には、送りローラ３ａと各挟みローラ４との間を通すようにする。
【００３７】
前記のように農業用フィルム５０を通した状態でモータにより繰り出しローラ１及び送りローラ３を回転駆動する。これにより、農業用フィルム５０の切れ目側の重ね合わせた部分に穿孔ローラ２の各穿孔ピン２０と繰り出しローラ１ａの各受入孔１０によって図３に示すような配置で通水孔５１が順次穿孔され、農業用有孔フィルム５００が形成される。農業用有孔フィルム５００は、送りローラ３、３ａを通って下方へ垂らされ回収される。
【００３８】
なお、穿孔ローラ２と送りローラ３の間において、農業用フィルム５０の切れ目側にエアが吹き付けられる。これによって、農業用フィルム５０の重なっていたフィルムの間にエアを入れてフィルムを一度分離させるようにして、後に農業用有孔フィルム５００を展開する際の取り扱いが容易にできるようにしている。
【００３９】
この装置では穿孔ローラ２の各穿孔ピン２０が繰り出しローラ１ａの各受入孔１０に入るようになっているので、穿孔ローラ２と繰り出しローラ１ａに挟まれた農業用フィルム５０には、フィルムが二枚重ねであっても確実に貫通して穿孔され、農業用フィルム５０を展開したときに両端側となる部分に通水孔５１を一度に開けることができる。
【００４０】
図３に示した農業用有孔フィルム５００の幅は約８ｍである（二折状態の農業用フィルム５０の幅は４ｍ）。各通水孔５１の大きさ及び各通水孔５１の間隔は、本実施例では直径５ｍｍ、間隔２００ｍｍであるが、これに限定されるものではなく、農業用有孔フィルム５００の大きさ等に合わせて適宜設定される。
なお、図１及び図３においては各通水孔５１を便宜上円形に表しているが、実際上は打ち抜きによる孔ではないため、例えばＶ時形の切れ目が入った孔が形成される（後述する図９参照）。
【実施例２】
【００４１】
図４及び図５を参照する。
農業用フィルム穿孔装置Ａ２は、Ｔ−ダイ成形法でつくられた比較的幅が狭い農業用フィルム５０ａ、５０ｂを通水孔５１を設けない側の端部側を熱溶着により接合するとともに、接合される農業用フィルム５０ａ、５０ｂの全体幅方向の両側部分に多数の通水孔５１を穿孔する装置である。Ｔ−ダイ成形法は、幅が３ｍ未満の農業用フィルムをつくるときに採用されるのが一般的である。
【００４２】
農業用フィルム穿孔装置Ａ２は、フィルム巻体５ａ、５ｂを転動できるようにして載置する繰り出しローラ１ｂ、１ｃ及び繰り出しローラ１ｄ、１ｅ（いずれも繰り出し機構を構成）、フィルム巻体５ａ、５ｂから繰り出した農業用フィルム５０ａ、５０ｂを回し掛けて通水孔５１を穿孔する穿孔ローラ２ａ、農業用フィルム５０ａ、５０ｂを内端部側で接合する接合機６、穿孔し接合した農業用フィルム５０ａ、５０ｂを回し掛ける送りローラ３ｂ及び送りローラ３ｂとの間で農業用フィルム５０ａ、５０ｂを挟んで送る複数の挟みローラ４を備えている。
【００４３】
フィルム巻体５ａを載置する繰り出しローラ１ｂ、１ｃは、同じ直径で同じ長さの円柱形のローラで構成されている。繰り出しローラ１ｂ、１ｃは、同じ高さで水平かつ平行に所要の間隔を開けて外周面同士が接触しないように設けられている。一方の繰り出しローラ１ｂはモータ（図示省略）で回転駆動され、繰り出しローラ１ｂ、１ｃは、チェーンを介し同じ方向（図５の矢印方向）へ同期回転するようになっている。
【００４４】
また、フィルム巻体５ｂを載置する繰り出しローラ１ｄ、１ｅは、同じ直径で同じ長さの円柱形のローラで構成されている。繰り出しローラ１ｄ、１ｅは、同じ高さで水平かつ平行に所要の間隔を開けて外周面同士が接触しないように、前記繰り出しローラ１ｂ、１ｃと長さ方向にずらして並んで設けられている。一方の繰り出しローラ１ｄはモータ（図示省略）で回転駆動され、繰り出しローラ１ｄ、１ｅは、チェーンを介し同じ方向（図５の矢印方向）へ同期回転するようになっている。
【００４５】
また、繰り出しローラ１ｂ、１ｃ及び繰り出しローラ１ｄ、１ｅのそれぞれの上方には、前記繰り出しローラ１、１ａと同様に、載置されたフィルム巻体５ａ、５ｂが繰り出しローラ１ｂ、１ｃ及び繰り出しローラ１ｄ、１ｅ上の所定の位置から長さ方向にずれないようにするストッパー（図示省略）が設けられている。
【００４６】
繰り出しローラ１ｂ、１ｃの斜め上方（他方の繰り出しローラ１ｄ、１ｅとは反対側の上方）には、穿孔ローラ２ａ及び送りローラ３ｂが設けられている。穿孔送りローラ２ａと送りローラ３ｂは繰り出しローラ１ｂ、１ｃと平行に設けられている。また、穿孔ローラ２ａと送りローラ３ｂは同じ高さに設けられている。
【００４７】
穿孔ローラ２ａには、長さ方向の両側（図４で手前側と奥側）の外周面に所要数の穿孔ピン２０ａが設けられている。各穿孔ピン２０ａは、ヒータ等の加熱手段で加熱することができるようにしてある。各穿孔ピン２０ａは、穿孔ローラ２ａの長さ方向の両側において、それぞれ穿孔ローラ２ａの長さ方向に等間隔で三箇所、穿孔ローラ２ａの軸周方向に等間隔（等角度）で三箇所、合計で九箇所（両側合計で十二箇所）に配置されている。穿孔ローラ２ａは、フィルム巻体５ａ、５ｂから繰り出した農業用フィルム５０ａ、５０ｂを回し掛けて送りながら、通水孔５１を穿孔するものである。
【００４８】
また、送りローラ３ｂの上側には、等間隔で四箇所に前記農業用フィルム穿孔装置Ａ１の送りローラ３ａの上に設けられているものと同様の構造及び作用を有する挟みローラ４を備えている。
前記穿孔ローラ２ａはモータ（図示省略）で回転駆動され、穿孔ローラ２ａと送りローラ３ｂは、チェーンを介し同じ方向（図５の矢印方向）へ同期回転するようになっている。
【００４９】
穿孔ローラ２ａと送りローラ３ｂの間の中間部かつ各ローラ２ａ、３ｂの長さ方向中間部には、フィルム巻体５ａ、５ｂから繰り出した農業用フィルム５０ａ、５０ｂを通水孔５１を設けない端部側で一部を重ねて熱溶着により接合する接合機６が設けられている。接合機６は、農業用フィルム５０ａ、５０ｂの重ね部を上下から挟んで圧力をかける熱ローラ（符号省略）を備えており、各熱ローラは穿孔ローラ２ａと連動し、周速が穿孔ローラ２ａ及び送りローラ３ｂの周速（農業用フィルム５０ａ、５０ｂの移動速度）と同じになるように設定されている。
【００５０】
（作用）
図４、図５及び図６を参照する。
農業用フィルム穿孔装置Ａ２の繰り出しローラ１ｂ、１ｃの上にフィルム巻体５ａを、繰り出しローラ１ｄ、１ｅの上にフィルム巻体５ｂを載置する。フィルム巻体５ａ、５ｂから農業用フィルム５０ａ、５０ｂを繰り出し、農業用フィルム５０ａを繰り出しローラ１ｂ、１ｃ間の隙間に通して繰り出しローラ１ｃの下側に回し掛け、農業用フィルム５０ｂを繰り出しローラ１ｄ、１ｅ間の隙間に通して繰り出しローラ１ｅの下側に回し掛ける。そして、農業用フィルム５０ａ、５０ｂを、その内端部側が一部重なるようにして穿孔ローラ２ａの上側に回し掛け、さらに送りローラ３ｂの上側に回し掛けて下方へ垂らすようにする。
【００５１】
なお、農業用フィルム５０ａ、５０ｂを穿孔ローラ２ａに回し掛ける際には、農業用フィルム５０ａ、５０ｂの一部重なった部分が接合機６を通るようにし、さらに農業用フィルム５０ａ、５０ｂの外端部側に穿孔ローラ２ａの各穿孔ピン２０ａによって所定の配置で通水孔５１が穿孔されるように農業用フィルム５０ａ、５０ｂの通る位置（つまりフィルム巻体５ａ、５ｂを載置する位置）を決める。また、前記送りローラ３ｂに回し掛ける際には、送りローラ３ｂと各挟みローラ４との間を通すようにする。
【００５２】
前記のように農業用フィルム５０ａ、５０ｂを通した状態でモータにより繰り出しローラ１ｂ、１ｄ及び穿孔ローラ２ａを回転駆動する。これにより、農業用フィルム５０ａ、５０ｂには、穿孔ローラ２ａの加熱されている各穿孔ピン２０ａによって溶かされて図６に示すような配置で通水孔５１が順次穿孔される。また、農業用フィルム５０ａ、５０ｂの内端部側の一部重なった部分が順次溶着されて接合部５２が形成され、農業用フィルム５０ａ、５０ｂは一体となって幅が広い農業用有孔フィルム５０１が形成される。農業用有孔フィルム５０１は、送りローラ３ｂを通って下方へ垂らされ回収される。
【００５３】
この装置によれば、接合機６を備えているので、幅が比較的狭い農業用フィルムを農業用ハウスの内張りに使用できるように接合するとともに、通水孔５１の穿孔も合わせて行うことができる。また、各通水孔５１は、孔縁が熱で溶けた後、冷えて固まっており、大きな破れの起点とならないので、有孔フィルム５０１は破れにくい。
【００５４】
図６に示した農業用有孔フィルム５０１の幅は約５ｍである（農業用フィルム５０ａ、５０ｂの幅は、それぞれ２．５ｍ）。また、各通水孔５１の大きさ及び各通水孔５１の間隔は、本実施例では直径５ｍｍ、間隔２００ｍｍであるが、これに限定されるものではなく、農業用有孔フィルム５０１の大きさ等に合わせて適宜設定される。
【００５５】
なお、図１及び図３においては各通水孔５１を便宜上円形に表しているが、実際上は打ち抜きによる孔ではないため、例えばＶ時形の孔縁を有する孔が形成される（後述する図９参照）。また、各通水孔５１が大きな破れの起点とならないように打ち抜きによる穿孔を行うことは任意である。これらについては、前記穿孔ピン２０及び後述の穿孔ピン２２についても同様である。
【００５６】
図７を参照する。
図に示す農業用有孔フィルム５０２に設けられている通水孔５１の配置は、穿孔ピンの配置を変えることにより、前記農業用有孔フィルム５００、５０１の通水孔５１のような等間隔で縦横に並ぶ配置と相違して千鳥掛け様の配置となっている。なお、通水孔５１の配置は、これらに限定されるものではなく、適宜設定が可能である。千鳥
【００５７】
図８を参照する。
前記農業用有孔フィルム５００（または農業用有孔フィルム５０１、５０２）は、農業用ハウス７において、ハウス内の保温性を向上させるために、天井部の外張フィルム７０との間に空間部７１を形成する内張フィルム７２として使用される。内張フィルム７２は、チャンネル７３を使用して、幅方向の中央部と両端側をフレーム７４に固定し、通水孔５１が設けられている両端側が下がるように傾斜させて展設される。
【００５８】
この構造によれば、外張フィルム７０の内面に結露した水滴が流れ落ちても内張フィルム７２の縁部の通水孔５１から順次排出されるので、十分な保温性を保持したまま、内張フィルム７２上に水が溜まることを防止できる。
【実施例３】
【００５９】
図９を参照する。
本実施例では、穿孔ローラとして穿孔ローラ２ｂを採用している。穿孔ローラ２ｂは、前記図１、図２に示す農業用フィルム穿孔装置Ａ１の穿孔ローラ２と、図４、図５に示す農業用フィルム穿孔装置Ａ２の穿孔ローラ２ａの代替として使用することができる。
【００６０】
穿孔ローラ２ｂは、外周面に複数のネジ孔２１が設けられている。各ネジ孔２１は、前記穿孔ローラ２、２ａの穿孔ピン２０、２０ａと軸周方向へは同様の配置で設けられ、長さ方向へはさらに両側へ二列ずつ数を増やして合計七列（二十一箇所）設けられている。各ネジ孔２１には、取付用のネジ部（図示省略）を有する穿孔ピン２２がネジ部をネジ込むことによって取り付けができ、取り外しもできる。なお、ネジ孔２１と穿孔ネジ２２のネジ部は付替手段を構成する。
【００６１】
この構造によれば、穿孔ローラ２ｂに取り付けられる穿孔ピン２２の取り付け位置を穿孔ローラ２ｂの長さ方向において変えることができるので、穿孔される農業用フィルムの幅が様々に異なるものであっても、穿孔ピン２２を付け替えることで、農業用フィルムの端部側の所定の位置に合わせて通水孔５１を穿孔することができる。
【００６２】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００６３】
Ａ１  農業用フィルム穿孔装置
１、１ａ  繰り出しローラ
１０  受入孔
２  穿孔ローラ
２０  穿孔ピン
３、３ａ  送りローラ
４  挟みローラ
４０  アーム
４１  ローラ
５  フィルム巻体
５０  農業用フィルム
５１  通水孔
６  接合機
５００  農業用有孔フィルム
Ａ２  農業用フィルム穿孔装置
１ｂ、１ｃ  繰り出しローラ
１ｄ、１ｅ  繰り出しローラ
２ａ  穿孔ローラ
２０ａ  穿孔ピン
３ｂ  送りローラ
５ａ、５ｂ  フィルム巻体
５０ａ、５０ｂ  農業用フィルム
５０１  農業用有孔フィルム
５０２  農業用有孔フィルム
２ｂ  穿孔ローラ
２１  ネジ孔
２２  穿孔ピン
７  農業用ハウス
７０  外張フィルム
７１  空間部
７２  内張フィルム
７３  チャンネル
７４  フレーム
【図１】
2010213591.tif 000003
【図２】
2010213591.tif 000004
【図３】
2010213591.tif 000005
【図４】
2010213591.tif 000006
【図５】
2010213591.tif 000007
【図６】
2010213591.tif 000008
【図７】
2010213591.tif 000009
【図８】
2010213591.tif 000010
【図９】
2010213591.tif 000011